(57)【特許請求の範囲】
【請求項１】
製氷系統を備えた開放式の氷蓄熱槽と、一対構成した製氷系統を備えていない密閉式タンクの夫々との間に往き経路と戻り経路から成る氷水移送系統を構成すると共に、一対構成した密閉式タンクの夫々と熱利用装置との間に往き経路と戻り経路から成り、前記氷水移送系統とは別系統の氷水循環系統を構成し、前記氷水移送系統と前記氷水循環系統の夫々に、一対の密閉式タンクとの接続状態を切り換える切換弁機構を構成したことを特徴とする氷蓄熱式熱源システム
【請求項２】
切換弁機構は、スプール状弁体を有する水圧作動の三方弁本体と、作動用のポンプと、切換用の電磁弁と、それらを接続する加圧側経路と排出側経路とから構成したことを特徴とする請求項１に記載の氷蓄熱式熱源システム
【請求項３】
氷水移送系統の切換弁機構は戻り経路に構成し、切換弁機構は、水圧作動の一対の弁体を圧縮コイルばねを介して独立移動可能に構成した三方弁本体と、切換用の電磁弁と、氷水循環系統の循環ポンプから電磁弁を介して三方弁本体に至る加圧側経路と、三方弁本体から電磁弁を介して氷蓄熱槽に至る排出側経路とから構成したことを特徴とする請求項１に記載の氷蓄熱式熱源システム
【発明の詳細な説明】
【０００１】
【発明の属する技術分野】
本発明は、高層ビルや地域冷暖房等に利用する氷蓄熱式熱源システムに関するものである。
【０００２】
【従来の技術】
冷凍機を夜間電力により運転して製氷し、これを建物の地下二重スラブか床上に設置した開放式の氷蓄熱槽に蓄えて空調時における冷熱源として利用する氷蓄熱式熱源システムでは、冷熱を二次側、即ち空調機等の熱利用装置に移送する方式として、蓄熱槽から直接に氷（シャーベットアイス）を移送する方式と、熱交換器を介して間接的に移送する方式とがある。間接方式では、蓄熱槽内の氷は熱交換器との間で循環させ、この熱交換器において氷と熱交換させた冷水を冷水循環系統により二次側に搬送することになり、冷水循環系統は密閉式の構成とすることができる。
【０００３】
【発明が解決しようとする課題】
開放式の氷蓄熱槽内の氷を二次側に直接に移送する方式では、所要動力が大きいという欠点がある。
また熱交換器を介して間接的に移送する方式では、二次側を密閉式の構成とすることができるため、所要動力を低減することができるが、二次側には冷水のみを移送するので、氷の潜熱が利用できないという欠点がある。
本発明は、以上の点に鑑みて創案されたもので、その目的とするところは、密閉式で二次側に氷水を移送可能とすることにより従来の上記欠点を解消することにある。
【０００４】
【課題を解決するための手段】
上述した課題を解決するために本発明では、製氷系統を備えた開放式の氷蓄熱槽と、一対構成した製氷系統を備えていない密閉式タンクの夫々との間に往き経路と戻り経路から成る氷水移送系統を構成すると共に、一対構成した密閉式タンクの夫々と熱利用装置との間に往き経路と戻り経路から成り、前記氷水移送系統とは別系統の氷水循環系統を構成し、前記氷水移送系統と前記氷水循環系統の夫々に、一対の密閉式タンクとの接続状態を切り換える切換弁機構を構成した氷蓄熱式熱源システムを提案する。
【０００５】
また本発明は、上記の構成において、切換弁機構は、スプール状弁体を有する水圧作動の三方弁本体と、作動用のポンプと、切換用の電磁弁と、それらを接続する加圧側経路と排出側経路とから構成することを提案する。
【０００６】
また本発明は、上記の構成において、氷水移送系統の切換弁機構は戻り経路に構成し、切換弁機構は、水圧作動の一対の弁体を圧縮コイルばねを介して独立移動可能に構成した三方弁本体と、切換用の電磁弁と、氷水循環系統の循環ポンプから電磁弁を介して三方弁本体に至る加圧側経路と、三方弁本体から電磁弁を介して氷蓄熱槽に至る排出側経路とから構成することを提案する。
【０００７】
請求項１の発明では、氷水循環系統の弁を閉、氷水移送系統の弁を開とした状態において、氷水移送系統により開放式の氷蓄熱槽内の氷を密閉式タンクに移送することができる。
【０００８】
そして移送後は、氷水移送系統の弁を閉として密閉式タンクを開放式タンクから遮断し、氷水循環系統の弁を開とすることにより、この氷水循環系統により密閉式タンク内の氷水を熱利用装置に密閉式に移送することができる。
【０００９】
この発明では、以上の動作において、一対のうちの一方側の密閉式タンクには氷水移送系統により氷蓄熱槽内の氷を移送すると同時に、他方側の密閉式タンクにそれまでに移送されている氷を氷水循環系統により熱利用装置に移送することができ、こうして夫々の系統に対応させる密閉式タンクを切換えることにより、以上の動作を交互に連続して行うことができる。
【００１０】
請求項２の発明では、氷水移送系統と氷水循環系統の切換弁機構を、ポンプによる水圧作動式としたので、大型の電動弁が不要となり、また夫々の経路の開閉時間を短縮することができる。
【００１１】
請求項３の発明では、氷水移送系統の戻り経路の切換弁機構を氷水循環系統の循環ポンプと電磁弁により行うことができ、別途のポンプを設ける必要がない。
【００１２】
【発明の実施の形態】
次に本発明の実施の形態を図を参照して説明する。
まず図１、図２は、本発明の氷蓄熱式熱源システムの第１の実施の形態を概略的に示す系統説明図である。
図において符号１は開放式の氷蓄熱槽であり、この氷蓄熱槽１には、図示を省略している適宜の製氷系統の動作により製氷した氷（シャーベットアイス）を蓄える構成である。
また符号２ａ，２ｂは製氷系統を備えていない一対の密閉式タンクであり、氷蓄熱槽１から夫々の密閉式タンク２ａ，２ｂに至る往き経路３と、密閉式タンク２ａ，２ｂから氷蓄熱槽１に戻る戻り経路４とから氷水移送系統を構成している。
往き経路３は、共通の経路３ｃと、それから分岐した経路３ａ，３ｂとから構成され、共通の経路３ｃにはポンプ５を設けると共に夫々の経路３ａ，３ｂには逆止弁６ａ，６ｂを設けている。
また戻り経路４は、夫々の密閉式タンク２ａ，２ｂから切換弁機構７に至る経路４ａ，４ｂと、切換弁機構７から氷蓄熱槽１に至る共通の経路４ｃとから構成している。
【００１３】
一方、符号８は、氷蓄熱槽１において蓄熱した熱（冷熱）を利用する熱利用装置、例えばＡＨＵ等の空調機の要素であり、夫々の密閉式タンク２ａ，２ｂから熱利用装置８に至る往き経路９と、熱利用装置８から夫々の密閉式タンク２ａ，２ｂに至る戻り経路１０とから氷水循環系統を構成している。
往き経路９は、夫々の密閉式タンク２ａ，２ｂからの個々の経路９ａ，９ｂと、それらが合流した経路９ｃとから構成され、夫々の経路９ａ，９ｂには逆止弁１１ａ，１１ｂを設けている。一方、戻り経路１０は、熱利用装置８から切換弁機構１２に至る共通の経路１１ｃと、切換弁機構１２により選択される個々の経路１１ａ，１１ｂとから構成され、共通の経路１１ｃにポンプ１３を設けている。
【００１４】
以上の構成の本発明のシステムの運転動作を以下に説明する。
まず、図１の運転状態では、氷水移送系統の切換弁機構７は密閉式タンク２ａの経路４ａを選択しており、また氷水循環系統の切換弁機構１２は密閉式タンク２ｂの経路１０ｂを選択している。
【００１５】
この状態において、氷蓄熱槽１内に蓄えられている氷（シャーベットアイス）は、氷水移送系統のポンプ５の動作により経路３ｃ、３ａを経て密閉式タンク２ａにのみ移送され、また前サイクルの運転において熱利用に供されて温度が上昇した密閉式タンク２ａ内の水は、経路４ａから切換弁機構７、経路４Ｃを経て氷蓄熱槽１に戻される。このような氷水移送系統における氷と水の移送状態は図中に破線の矢印で示している。
こうして前サイクルの運転において、熱利用装置８における熱利用に供されて温度が上昇した密閉式タンク２ａの水が、次第に氷蓄熱槽１から移送される氷に置換されて行く。このように氷を貯めて行く動作を行うために、密閉式タンク２ａ（２ｂ）には、氷と水を分離する適宜の手段を設置して、水のみを氷蓄熱槽１に戻すようにしている。
【００１６】
以上のように、一対のうちの一方側の密閉式タンク２ａに氷蓄熱槽１内の氷が移送される運転が行われていると同時に、他方側の密閉式タンク２ｂ内の氷水は、氷水循環系統のポンプ１３の動作により、密閉式タンク２ｂから経路９ｂ、９ｃを経て熱利用装置８に移送され、そこで空調用空気等との熱交換により熱利用に供された後、経路１０ｃから切換弁機構１２、経路１０ｂを経て密閉式タンク２ｂに戻る。このような氷水循環系統における氷水の移送状態は図中実線の矢印で示している。
【００１７】
こうして前サイクルの運転において密閉式タンク２ｂに蓄えられた氷が氷水循環系統における移送動作により熱利用装置８において熱利用に供され、この際の氷水の移送は密閉式に行われることにより、所要動力が低減されると共に、氷水の潜熱を利用することが可能となるため、水のみと比較して流量あたりの熱量を大きくすることができるので、所要配管サイズを低減することもできる。
【００１８】
このような氷水循環系統による密閉式タンク２ｂ内の氷水の循環動作においては、密閉式タンク２ａは切換弁機構１２において氷水循環系統とは遮断されているので、開放式の氷蓄熱槽１と密閉式タンク２ａを要素とする氷水移送系統の動作と、密閉式タンク２ｂと熱利用装置８を要素とする氷水循環系統の動作が同時に行われても干渉することはない。
【００１９】
以上の運転状態が経過して、密閉式タンク２ｂ内の氷が消費された場合には、図２に示すように氷水移送系統の切換弁機構７は密閉式タンク２ｂの経路７ｂを選択すると共に、氷水循環系統の切換弁機構１２は密閉式タンク２ａの経路１０ａを選択する。
【００２０】
以上の切換弁機構７，１２の切換動作により、氷蓄熱槽１内に蓄えられている氷は、今度はポンプ５の動作により経路３ｃ、３ｂを経て密閉式タンク２ｂにのみ移送され、また上述した前サイクルの運転において熱利用に供されて温度が上昇した密閉式タンク２ｂ内の水は、経路４ｂから切換弁機構７、経路４Ｃを経て氷蓄熱槽１に戻される。このように、一対のうちの一方側の密閉式タンク２ｂに氷蓄熱槽１内の氷が移送される運転が行われると同時に、他方側の密閉式タンク２ａ内の氷水は、密閉式タンク２ａから経路９ａ、９ｃを経て熱利用装置８に移送され、そこで空調用空気等との熱交換により熱利用に供された後、経路１０ｃから切換弁機構１２、経路１０ａを経て密閉式タンク２ａに戻る。このようにして、上述した前サイクルの運転において密閉式タンク２ａに蓄えられた氷が密閉式の移送動作により熱利用装置８において熱利用に供される。
【００２１】
こうして本発明における氷蓄熱式熱源システムでは、一対のうちの一方側の密閉式タンクに氷水移送系統により氷蓄熱槽内の氷を移送すると同時に、他方側の密閉式タンクにそれまでに移送されている氷を氷水循環系統により熱利用装置に移送することができ、夫々の系統に接続する密閉式タンクを切換えることにより、以上の動作を交互に連続して行うことができる。
【００２２】
このような切換動作を行うための切換弁機構７、１２は、大型の電動弁等の適宜の機構を利用することができるのであるが、以下に示す実施の形態では、切換弁機構を、ポンプによる水圧作動式とすることにより、大型の電動弁等が不要となり、また夫々の経路の開閉に要する時間を短縮することができるという利点を有するものである。
【００２３】
即ち、図３〜図９は、本発明における氷蓄熱式熱源システムの他の実施の形態を示す系統説明図、図８、図９は図３〜図７に用いている切換弁機構の一部の拡大図である。尚、図３〜図７は、図１、図２に示す本発明の氷蓄熱式熱源システムの構成中の切換弁機構７、１２として、図８、図９に示す切換弁機構を利用したものであり、従って図３〜図９中の構成要素において、図１、図２中の構成要素に相当するものは同一の符号を付すことにより重複する説明は省略する。
【００２４】
まず、図３〜図７及び図８に示すように、氷水循環系統を構成する切換弁機構１２は、スプール状弁体１４を有する水圧作動の三方弁本体１５と、作動用のポンプ１６と、切換用の電磁弁１７ａ，１７ｂ；１８ａ，１８ｂと、それらを接続する加圧側経路１９と排出側経路２０とから構成している。
【００２５】
また、図３〜図７及び図９に示すように、氷水移送系統を構成する切換弁機構７は、水圧作動の一対の弁体２１ａ，２１ｂを圧縮コイルばね２２を介して独立移動可能に構成した三方弁本体２３と、切換用の電磁弁２４ａ，２４ｂ；２５ａ，２５ｂと、氷水循環系統の循環ポンプから電磁弁２４ａ，２４ｂを介して三方弁本体２３に至る加圧側経路２６と、三方弁本体２３から電磁弁２５ａ，２５ｂを介して氷蓄熱槽１に至る排出側経路２７とから構成している。尚、符号２９は通水性の支持部である。
【００２６】
尚、各切換弁機構７、１２において、図中符号２８で示した要素は、弁座を示すものである。また、各切換弁機構７、１２を構成する各電磁弁の開閉状態は、便宜的に開のものを黒塗りで示して、閉のものと区別している。
【００２７】
以上の構成において、まず図３は上述した図１の運転状態と同じ運転状態を示すもので、氷水移送系統の切換弁機構７は密閉式タンク２ａの経路４ａを選択しており、また氷水循環系統の切換弁機構１２は密閉式タンク２ｂの経路１０ｂを選択している。
即ち、切換弁機構７においては、弁体２１ｂは前過程の加圧により左側に移動して経路４ｂ側を閉としており、また弁体２１ａは圧縮コイルばね２２の弾発力により左側に移動して経路４ａ側を開としている。
また、切換弁機構１２においては、前過程における加圧によりスプール状弁体１４が左側に移動して、経路１０ｂ側を開、経路１０ａ側を閉としている。
【００２８】
かかる状態においては、図１に関して説明したと同様に、氷蓄熱槽１内に蓄えられている氷（シャーベットアイス）は、氷水移送系統のポンプ３の動作により経路３ｃ、３ａを経て一方側の密閉式タンク２ａにのみ移送され、また前サイクルの運転において熱利用に供されて温度が上昇した密閉式タンク２ａ内の水は、図示を省略している氷、水分離手段により氷と分離されて、経路４ａから切換弁機構７、経路４Ｃを経て氷蓄熱槽１に戻される。このような氷水移送系統における氷と水の移送状態は図１と同様に図中に破線の矢印で示している。
こうして前サイクルの運転において、熱利用装置８における熱利用に供されて温度が上昇した密閉式タンク２ａの水が、次第に氷蓄熱槽１から移送される氷に置換されて行く。
【００２９】
一方、他方側の密閉式タンク２ｂ内の氷水は、氷水循環系統のポンプ１３の動作により、密閉式タンク２ｂから経路９ｂ、９ｃを経て熱利用装置８に移送され、そこで空調用空気等との熱交換により熱利用に供された後、経路１０ｃから切換弁機構１２、経路１０ｂを経て密閉式タンク２ｂに戻る。このような氷水循環系統における氷水の移送状態は図中実線の矢印で示している。
【００３０】
このような運転状態において、氷水移送系統により氷蓄熱槽１から氷が移送されている密閉式タンク２ａ内は低圧になっており、また氷水循環系統により氷水が循環移動している密閉式タンク２ｂ内は高圧になっている。
【００３１】
以上の運転状態が経過して、密閉式タンク２ｂ内の氷が消費された場合には、図４に示すように切換弁機構７の電磁弁２４ｂのみを開とすると、氷水循環系統の水圧により水が加圧側経路２６から電磁弁２４ｂを経て三方弁本体２３に至り、弁体２１ａを、圧縮コイルばね２２の弾発力に抗して右側に移動して弁座２８に当接させる。この動作により、圧力が経路４ａを伝わって密閉式タンク２ａ内の圧力を上昇させる。この状態において電磁弁２４ｂを閉としても、切換弁機構７は、経路４ａ側の閉状態が維持される。
【００３２】
このように密閉式タンク２ａ内には氷水移送系統の往き経路３ｃ，３ａを通して氷が移送されている状態で戻り経路４ａが遮断されるため、当初低圧状態だった密閉式タンク２ａ内の圧力は次第に上昇して行く。
【００３３】
そこで密閉式タンク２ａ内の圧力が、氷水循環系統により氷水が循環移動している密閉式タンク２ｂ内と同程度の圧力に達した場合には、図５に示すように、電磁弁１７ａ，１８ａのみを開とすると、ポンプ１６により加圧された水が加圧側経路１９から電磁弁１７ａを経てバルブ本体１５の左側に流入すると同時に、バルブ本体１５の右側にある水が電磁弁１８ａを経て排出側経路２０に流出するため、スプール状弁体１４は図中右方向に移動して弁座２８に当接する。このため開閉状態が切り換り、スプール状弁体１４は、バルブ本体１５の経路１０ｂ側を閉とすると同時に、経路１０ａ側を開とする。
【００３４】
こうして氷水循環系統に対応する密閉式タンクが切り換り、今度は、密閉式タンク２ａ内の氷水が経路９ａ、９ｃを経て熱利用装置８に移送され、そこで空調用空気等との熱交換により熱利用に供された後、経路１０ｃから切換弁機構１２、経路１０ａを経て密閉式タンク２ａに戻る。このようにして、上述した前サイクルの運転において密閉式タンク２ａに蓄えられた氷が密閉式の移送動作により熱利用装置８において熱利用に供される。
【００３５】
このように、この実施の形態では、氷水移送系統に対応していた密閉式タンクを、氷水循環系統に対応する側に切換える際には、密閉式タンク内の圧力を上昇させる過程を設けているため、切換の動作を円滑に行うことができる。
【００３６】
以上のように氷水循環系統に対応する密閉式タンクの切換動作と同時に、または適宜の時間経過後において、図６に示すように電磁弁２５ｂを開とすると、圧縮コイルばね２２の弾発力により右方向に付勢されている弁体２１ｂは、バルブ本体２３内の右側に溜まっている水を押し出しながら自体は右側に移動し、一方、押し出された水は電磁弁２５ｂから排出側経路２７を経て氷蓄熱槽１内に排出される。
【００３７】
このような動作により、弁体２１ｂはバルブ本体２３内の右側に移動して、図７に示すようにバルブ本体２３の経路４ｂ側が開となり、この状態において、電磁弁２５ｂを閉としても、弁体２１ｂは圧縮コイルばね２２の弾発力により、その位置に保持される。
【００３８】
こうして図７の状態は、上述した図２の運転状態と同じ運転状態となり、氷蓄熱槽１内に蓄えられている氷は、経路３ｃ、３ｂを経て密閉式タンク２ｂにのみ移送され、また上述した前サイクルの運転において熱利用に供されて温度が上昇した密閉式タンク２ｂ内の水は、経路４ｂから切換弁機構７、経路４Ｃを経て氷蓄熱槽１に戻される。一方、密閉式タンク２ａ内の氷水は、密閉式タンク２ａから経路９ａ、９ｃを経て熱利用装置８に移送され、そこで空調用空気等との熱交換により熱利用に供された後、経路１０ｃから切換弁機構１２、経路１０ａを経て密閉式タンク２ａに戻り、このようにして、上述した前サイクルの運転において密閉式タンク２ａに蓄えられた氷が密閉式の移送動作により熱利用装置８において熱利用に供される。
【００３９】
こうして図３〜図７に示す実施の形態では、図１、図２に示す氷蓄熱式熱源システムと同様に、一対のうちの一方側の密閉式タンクに氷水移送系統により氷蓄熱槽内の氷を移送すると同時に、他方側の密閉式タンクにそれまでに移送されている氷を氷水循環系統により熱利用装置に移送することができ、夫々の系統に接続する密閉式タンクを切換えることにより、以上の動作を連続して行うことができる。
【００４０】
特に、この実施の形態では、切換弁機構７、１２を、ポンプによる水圧作動式としているので、大型の電動弁等が不要となり、また夫々の経路の開閉時間を短縮することができるという利点を有する。
【００４１】
また、この実施の形態の切換弁機構７では、切換弁機構１２で用いているような専用のポンプを用いずに、氷水循環系統の水圧を利用して、電磁弁、そしてそれらを接続する経路とから構成しているため、構成部品数を低減することができるという利点がある。
【００４２】
さらにこの実施の形態の切換弁機構７では、一対の弁体を圧縮コイルばねを介して接続して、独立に移動可能に構成しているので、切換える各経路に対していずれかを開状態とする他、いずれの経路に対しても閉状態とすることができ、このような機能を利用することにより、密閉式タンクを、氷水移送系統に対応する状態から、氷水循環系統に対応する状態に切換える際に、その切換に先んじて密閉式タンク内の圧力を上昇させることができ、このことから切換を円滑に行うことができるという利点がある。
【００４３】
このように、以上に説明した実施の形態では、製氷系統を備えていない密閉式タンクを一対設けて、一方側を氷水移送系統に対応させている際に、他方側を氷水循環系統に対応させることを可能としている。
【００４４】
【発明の効果】
本発明は以上のとおり、氷水循環系統の弁を閉、氷水移送系統の弁を開とした状態において、開放式の氷蓄熱槽内の氷水を氷水移送系統により密閉式タンクに移送することができ、移送後は、氷水移送系統の弁を閉として密閉式タンクを開放式タンクから遮断すると共に、氷水循環系統の弁を開とすることにより、この氷水循環系統により密閉式タンク内の氷水を熱利用装置に密閉式に移送することができるので、以下に示すような効果がある。
ａ．氷水を熱利用装置に移送するのに必要な所要動力を低減することができる。
ｂ．熱利用装置において氷水による潜熱を利用することができるので、流量当たりの熱量を水と比較して大きくすることができ、配管サイズを小さくすることができる。
ｃ．密閉式タンクを一対設けて構成することにより、一方側を氷水移送系統に対応させている際に、他方側を氷水循環系統に対応させる構成とすれば、氷蓄熱槽から密閉式タンクへの氷の移送と、密閉式タンク内の氷水の熱利用装置における利用を、一対の密閉式タンクを利用して同時に行うことが可能となり、これらを交互に行うことにより、連続的な運転が可能となる。
ｄ．切換弁機構を、ポンプによる水圧作動式とすることにより、大型の電動弁等が不要となり、夫々の経路の開閉時間を短縮することができる。また、切換弁機構を構成する電磁弁は、大型のものを必要とせず、また氷水が流れないので、氷結の心配がない。
ｅ．水圧作動式の切換弁機構を作動させるためのポンプとして、専用のポンプを用いずに、氷水循環系統のポンプを利用したものでは、構成部品数を低減することができる。
ｆ．切換弁機構として、一対の弁体を圧縮コイルばねを介して接続して、独立に移動可能に構成したものでは、切換える各経路に対していずれかを開状態とする他、いずれの経路に対しても閉状態とすることができ、このような機能を利用することにより、密閉式タンクを、氷水移送系統に対応する状態から、氷水循環系統に対応する状態に切換える際に、その切換に先んじて密閉式タンク内の圧力を上昇させることができ、このことから切換を円滑に行うことができる。
【図面の簡単な説明】
【図１】  本発明の氷蓄熱式熱源システムの第１の実施の形態を概略的に示す系統説明図である。
【図２】  本発明の氷蓄熱式熱源システムの第１の実施の形態を、図１とは異なった局面において概略的に示す系統説明図である。
【図３】  本発明の氷蓄熱式熱源システムの第２の実施の形態を示す系統説明図である。
【図４】  本発明の氷蓄熱式熱源システムの第２の実施の形態を図３とは異なった局面において示す系統説明図である。
【図５】  本発明の氷蓄熱式熱源システムの第２の実施の形態を図３、図４とは異なった局面において示す系統説明図である。
【図６】  本発明の氷蓄熱式熱源システムの第２の実施の形態を図３〜図５とは異なった局面において示す系統説明図である。
【図７】  本発明の氷蓄熱式熱源システムの第２の実施の形態を図３〜図６とは異なった局面において示す系統説明図である。
【図８】  本発明の氷蓄熱式熱源システムの第２の実施の形態において使用する切換弁機構の実施の形態を示す要部拡大説明図である。
【図９】  本発明の氷蓄熱式熱源システムの第２の実施の形態において使用する他の切換弁機構の実施の形態を示す要部拡大説明図である。
【符号の説明】
１                              氷蓄熱槽
２ａ，２ｂ                      密閉式タンク
３ａ，３ｂ，３ｃ                往き経路
４ａ，４ｂ，４ｃ                戻り経路
５                              ポンプ
６ａ，６ｂ                      逆止弁
７                              切換弁機構
８                              熱利用装置
９ａ，９ｂ，９ｃ                往き経路
１０ａ，１０ｂ，１０ｃ          戻り経路
１１ａ，１１ｂ                  逆止弁
１２                            切換弁機構
１３                            ポンプ
１４                            スプール状弁体
１５                            三方弁本体
１６                            ポンプ
１７ａ，１７ｂ；１８ａ，１８ｂ  電磁弁
１９                            加圧側経路
２０                            排出側経路
２１ａ，２１ｂ                  弁体
２２                            圧縮コイルばね
２３                            三方弁本体
２４ａ，２４ｂ；２５ａ，２５ｂ  電磁弁
２６                            加圧側経路
２７                            排出側経路
２８                            弁座
２９                            支持部
【図１】
0003942925.tif 000002
【図２】
0003942925.tif 000003
【図３】
0003942925.tif 000004
【図４】
0003942925.tif 000005
【図５】
0003942925.tif 000006
【図６】
0003942925.tif 000007
【図７】
0003942925.tif 000008
【図８】
0003942925.tif 000009
【図９】
0003942925.tif 000010